(57)【要約】【課題】複数のキーボード領域の表示状態を変更設定でき、より実用的になるキーボード構造を提供する。【解決手段】複数のキーボード領域を有し、キーボード表示状態とキー位置使用状態を入力できる入力／出力制御ユニットと、入力／出力制御ユニットに連接され、キーボード表示状態とキー位置使用状態の信号を受信して、運算する運算ユニットと、キーボード表示状態データベースを有し、運算ユニットに連接され、運算された後のキーボード表示状態信号を受信し、キーボード表示状態が入力／出力制御ユニットにフィードバックして出力される記憶ユニットと、運算ユニットに連接され、運算された後のキー位置使用状態信号を受信し、入力／出力制御ユニットにより必要とするキー位置使用状態が出力されるキー位置定義ユニットとが含有される。【選択図】図２
0003133517.tif 000002
【実用新案登録請求の範囲】
【請求項１】
キーボード表示状態とキー位置使用状態を入力できる複数のキーボード領域がある入力／出力制御ユニットと、上記の入力／出力制御ユニットに連接され、キーボード表示状態とキー位置使用状態の信号を受信して、判読運算する運算ユニットと、上記の運算ユニットに連接され、キーボード表示状態データベースがあり、運算ユニットによって運算されてから、伝送されたキーボード表示状態信号を受信し、キーボード表示状態をフィードバックして運算ユニットによって確認された後、入力／出力制御ユニットにより必要とするキーボード表示状態が出力される記憶ユニットと、上記の運算ユニットに連接され、運算ユニットによって運算されてから伝送されたキー位置使用状態信号を受信し、キー位置定義をフィードバックして運算ユニットによって確認された後、入力／出力制御ユニットにより必要とするキー位置使用状態を出力するキー位置定義ユニットとが含有されることを特徴とするキーボード構造。
【請求項２】
該入力／出力制御ユニットが、タッチスクリーンであることを特徴とする請求項１に記載のキーボード構造。
【請求項３】
複数のキーボード領域に、少なくとも、メインキーボードと数字キーボード及びファンクションキーボードが含有されることを特徴とする請求項１に記載のキーボード構造。
【考案の詳細な説明】
【技術分野】
【０００１】
本考案は、キーボード構造に関し、特に、複数のキーボード領域の表示状態を変更設定でき、より実用的なものに関する。
【背景技術】
【０００２】
一般の、従来のキーボード構造５は、図９のように、タッチスクリーン５１があり、該タッチスクリーン５１は、キーボード５２があり、該キーボード５２は、メインキーボード領域５２１と数字キーボード領域５２２及びファンクションキーボード領域５２３が含有され、ユーザーが、タッチスクリーン５１上のメインキーボード領域５２１や数字キーボード領域５２２或いはファンクションキーボード領域５２３の必要なキー位置をクリックすると、運算機構によって判読運算された後、キー位置定義装置により、各キー位置に定義されたデータを、運算機構にフィードバックして確認され、また、タッチスクリーン５１により、表示を出力する。
【０００３】
上記の従来のキーボード構造５は、ユーザーがクリックした各キーのデータを、タッチスクリーン５１に、表示出力できるが、該キーボード５２のｍｉメインキーボード領域５２１と数字キーボード領域５２２及びファンクションキーボード領域５２３が、タッチスクリーン５１の下方の横方向に固定配列されるため、その大きさや外型及び配列方式は、自由に設定できず、そのため、ユーザーが、該メインキーボード領域５２１と数字キーボード領域５２２及びファンクションキーボード領域５２３の中の何れかの１種類だけを使用する時、画面に、メインキーボード領域５２１と数字キーボード領域５２２及びファンクションキーボード領域５２３が同時に表示されるため、使用する時、該キーボード５２により、タッチスクリーン５１の大部分の空間が占有され、また、それぞれ、独自にメインキーボード領域５２１と数字キーボード領域５２２及びファンクションキーボード領域５２３を使用できないため、使用する時、タッチスクリーン５１の空間を自由に応用できない。
【考案の開示】
【考案が解決しようとする課題】
【０００４】
本考案の主な目的は、自由にタッチスクリーンを運用できない課題を解消するため、入力／出力制御ユニットによりキーボード表示状態とキー位置使用状態が入力されて運算ユニットによって運算された後、記憶ユニットとキー位置定義ユニットにより、キーボード表示状態とキー位置使用状態が入力／出力制御ユニットに表示されることにより、複数のキーボード領域の表示状態を変更設定でき、より実用的になる。
【課題を解決するための手段】
【０００５】
請求項１の考案は、キーボード表示状態とキー位置使用状態を入力できる複数のキーボード領域がある入力／出力制御ユニットと、上記の入力／出力制御ユニットに連接され、キーボード表示状態とキー位置使用状態の信号を受信して、判読運算する運算ユニットと、上記の運算ユニットに連接され、キーボード表示状態データベースがあり、運算ユニットによって運算されてから、伝送されたキーボード表示状態信号を受信し、キーボード表示状態をフィードバックして運算ユニットによって確認された後、入力／出力制御ユニットにより必要とするキーボード表示状態が出力される記憶ユニットと、上記の運算ユニットに連接され、運算ユニットによって運算されてから伝送されたキー位置使用状態信号を受信し、キー位置定義をフィードバックして運算ユニットによって確認された後、入力／出力制御ユニットにより必要とするキー位置使用状態を出力するキー位置定義ユニットとが含有されることを特徴とするキーボード構造である。
【０００６】
請求項２の考案は、該入力／出力制御ユニットが、タッチスクリーンであることを特徴とする請求項１に記載のキーボード構造である。
【０００７】
請求項３の考案は、複数のキーボード領域に、少なくとも、メインキーボードと数字キーボード及びファンクションキーボードが含有されることを特徴とする請求項１に記載のキーボード構造である。
【考案を実施するための最良の形態】
【０００８】
図１と図２は、それぞれ、本考案の外観概念図と本考案の基本構成のフロック概念図である。図のように、本考案は、キーボード構造であり、少なくとも、入力／出力制御ユニット１と運算ユニット２、記憶ユニット３及びキー位置定義ユニット４から構成され、複数のキーボード領域の表示状態を変更設定でき、より実用的になる。
【０００９】
上記の入力／出力制御ユニット１は、タッチスクリーンであり、また、該入力／出力制御ユニット１は、複数のキーボード領域１０を有し、該複数のキーボード領域１０は、少なくとも、メインキーボード１１と数字キーボード１２及びファンクションキーボード１３が含有され、キーボード表示状態１４とキー位置使用状態１５を入力できる。
【００１０】
該運算ユニット２は、上記の入力／出力制御ユニット１に連接され、キーボード表示状態１４とキー位置使用状態１５信号を受信して判読運算する。
【００１１】
該記憶ユニット３は、上記の運算ユニット２に連接され、キーボード表示状態データベース３０を有し、運算ユニット２によって運算されてから伝送されたキーボード表示状態１４信号を受信し、また、キーボード表示状態１５をフィードバックし、運算ユニット２によって確認された後、入力／出力制御ユニット１により必要とするキーボード表示状態１４が出力される。
【００１２】
該キー位置定義ユニット４は、上記の運算ユニット２に連接され、運算ユニット２によって運算されてから伝送されたキー位置使用状態１５信号を受信し、また、キー位置定義をフィードバックして運算ユニット２によって確認された後、入力／出力制御ユニット１により必要とするキー位置使用状態１５を出力する。上記の構造により、新規のキーボード構造が構成される。
【００１３】
図３と図４は、それぞれ、本考案のキーボード表示状態変更概念図と本考案のキーボード表示状態のフロック流れ概念図である。図のように、本考案は、複数のキーボード領域１０に、キーボード表示状態１４を出力する時、ユーザーが、入力／出力制御ユニット１のメインキーボード１１や数字キーボード１２或いはファンクションキーボード１３で、直接に、必要に応じて、拡大や縮小、分解、移動、合併、外枠変更、正常状態及び変更プログラムを設定して、該入力／出力制御ユニット１に、該キーボード表示状態１４信号を伝送させ、運算ユニット２により、受信して判読運算されてから、該運算ユニット２が、運算された後のキーボード表示状態１４信号を記憶ユニット３に伝送し、該記憶ユニット３は、キーボード表示状態データベース３０から、入力されたキーボード領域放大ソフトウェアパッケージ３１やキーボード領域縮小ソフトウェアパッケージ３２、キーボード領域分解ソフトウェアパッケージ３３、キーボード領域移動ソフトウェアパッケージ３４、キーボード領域合併ソフトウェアパッケージ３５、キーボード領域外枠変更ソフトウェアパッケージ３６、キーボード領域正常状態ソフトウェアパッケージ３７及びキーボード領域キー位置変更ソフトウェアパッケージ３８等の槽関するデータを捕獲して、捕獲したデータを運算ユニット２にフィードバックして確認された後、ユーザーが設定したキーボード表示状態１４が、入力／出力制御ユニット１により出力されて、該メインキーボード１１や数字キーボード１２或いはファンクションキーボード１３に、ユーザーが設定した状態が表示される。
【００１４】
図５と図６は、それぞれ、本考案のキー位置使用状態概念図と本考案のキー位置使用状態のフロック流れ概念図である。図のように、本考案は、複数のキーボード領域１０に、キー位置使用状態１５を出力する時、ユーザーが、入力／出力制御ユニット１のメインキーボード１１や数字キーボード１２或いはファンクションキーボード１３で、必要とするキー位置をクリックすることにより、該入力／出力制御ユニット１が、そのキー位置使用状態１５信号を伝送し、運算ユニット２によって受信して判読運算されてから、該運算ユニット２が、運算された後のキー位置使用状態１５信号をキー位置定義ユニット４に伝送し、該キー位置定義ユニット４は、キー位置定義をフィードバックして、運算ユニット２によって確認された後、クリックされたメインキーボード１１や数字キーボード１２或いはファンクションキーボード１３のキー位置に定義されたデータが、入力／出力制御ユニット１により出力される。
【００１５】
図７は、本考案の他のキーボード表示状態変更概念図である。図のように、該キーボード領域１０のメインキーボード１１や数字キーボード１２及びファンクションキーボード１３の予めに決められた位置に、それぞれ、隠れ操作キー１６が設けられ、該隠れ操作キー１６は、正常状態において、メインキーボード１１や数字キーボード１２及びファンクションキーボード１３の空白位置に隠れられ、使用する時、ユーザーが、必要とするキー位置の空白位置にクリックすると、該隠れ操作キー１６に、少なくとも、放大や縮小及び移動のアイコンが表示され、ユーザーが、必要とする機能に基づいて、該隠れ操作キー１６のアイコンをクリックし、該隠れ操作キー１６は、ユーザーが、アイコンをクリックすると、表示しないようになり、この時、ユーザーが、必要に応じて、直接に、入力／出力制御ユニット１により、メインキーボード１１や数字キーボード１２或いはファンクションキーボード１３の拡大や縮小或いは移動を行い、該隠れ操作キー１６の信号が伝送されて運算ユニット２によって受信して判読運算されると、該運算ユニット２が、運算された後のキーボード表示状態１４信号を記憶ユニット３に伝送し、該記憶ユニット３により、キーボード表示状態データベース３０から、メインキーボード１１や数字キーボード１２或いはファンクションキーボード１３の設定を捕獲し、また、入力／出力制御ユニット１によって、ユーザーが設定した状態を表示する。
【００１６】
図８は、本考案の更の他のキーボード表示状態変更概念図である。図のように、該キーボード領域１０のメインキーボード１１や数字キーボード１２及びファンクションキーボード１３の予めに決められた位置に、それぞれ、表示操作キー１７が設けられ、該表示操作キー１７は、正常の状態において、メインキーボード１１や数字キーボード１２及びファンクションキーボード１３の上方の位置に表示設置され、使用する時、ユーザーが、該表示操作キー１７だけをクリックすると、該表示操作キー１７に、少なくとも、放大や縮小及び移動のアイコンが表示され、ユーザーが必要とする機能に応じて、該表示操作キー１７のアイコンをクリックし、ユーザーが、該表示操作キー１７のアイコンをクリックすると、表示しなくなり、この時、ユーザーが、必要に応じて、直接に、入力／出力制御ユニット１で、メインキーボード１１や数字キーボード１２或いはファンクションキーボード１３の放大や縮小或いは移動を行い、該表示操作キー１７が、信号を伝送し、運算ユニット２によって受信して、判読運算されると、該運算ユニット２が、運算された後のキーボード表示状態１４信号を記憶ユニット３に伝送し、該記憶ユニット３により、キーボード表示状態データベース３０から、メインキーボード１１や数字キーボード１２或いはファンクションキーボード１３の設定を捕獲し、また、入力／出力制御ユニット１でユーザーが設定した状態を表示する。
【００１７】
以上のように、本考案に係わるキーボード構造は、有効に従来の諸欠点を改善でき、入力／出力制御ユニットでキーボード表示状態とキー位置使用状態を入力して、運算ユニットによって運算された後、記憶ユニットとキー位置定義ユニットに合わせて、キーボード表示状態とキー位置使用状態が、入力／出力制御ユニットによって表示され、また、複数のキーボード領域の表示状態を変更設定でき、そのため、本考案は、より進歩的かつより実用的で、法に従って実用新案登録請求を出願する。
【００１８】
以上は、ただ、本考案のより良い実施例であり、本考案は、それによって制限されることが無く、本考案に係わる実用新案登録請求の範囲や明細書の内容に基づいて行った等価の変更や修正は、全てが、本考案の実用新案登録請求の範囲内に含まれる。
【図面の簡単な説明】
【００１９】
【図１】本考案の外観概念図
【図２】本考案の基本構成のフロック概念図
【図３】本考案のキーボード表示状態変更概念図
【図４】本考案のキーボード表示状態のフロック流れ概念図
【図５】本考案のキー位置使用状態概念図
【図６】本考案のキー位置使用状態のフロック流れ概念図
【図７】本考案の更の他のキーボード表示状態変更概念図
【図８】本考案の更の他のキーボード表示状態変更概念図
【図９】従来の外観概念図
【符号の説明】
【００２０】
（本考案部分）
１        入力／出力制御ユニット
１０      キーボード領域
１１      メインキーボード
１２      数字キーボード
１３      ファンクションキーボード
１４      キーボード表示状態
１５      キー位置使用状態
１６      隠れ操作キー
１７      表示操作キー
２        運算ユニット
３        記憶ユニット
３０      キーボード表示状態データベース
３１      キーボード領域放大ソフトウェアパッケージ
３２      キーボード領域縮小ソフトウェアパッケージ
３３      キーボード領域分解ソフトウェアパッケージ
３４      キーボード領域移動ソフトウェアパッケージ
３５      キーボード領域合併ソフトウェアパッケージ
３６      キーボード領域外枠変更ソフトウェアパッケージ
３７      キーボード領域正常状態ソフトウェアパッケージ
３８      キーボード領域キー位置変更ソフトウェアパッケージ
４        キー位置定義ユニット
（従来部分）
５        キーボード構造
５１      タッチスクリーン
５２      キーボード
５２１    メインキーボード領域
５２２    数字キーボード領域
５２３    ファンクションキーボード領域
【図１】
0003133517.tif 000003
【図２】
0003133517.tif 000004
【図３】
0003133517.tif 000005
【図４】
0003133517.tif 000006
【図５】
0003133517.tif 000007
【図６】
0003133517.tif 000008
【図７】
0003133517.tif 000009
【図８】
0003133517.tif 000010
【図９】
0003133517.tif 000011